(57)【特許請求の範囲】
【請求項１】
充電電流又は充電電圧を制御する充電電源部と、
前記充電電源部を制御する制御部と、
二次電池の装填を検出する装填検出部と、
二次電池の電圧を検出する電圧検出部と、
二次電池の温度を検出する温度検出部と、
外部機器との通信を行う通信部とを備える充電装置であって、
前記制御部が、前記装填検出部により二次電池の装填を検出した際に、前記電圧検出部により検出された電圧と、前記温度検出部により検出された温度に基づき前記充電電源部を制御して当該二次電池を充電し、
前記通信部を介して外部機器からの指令を受信した際に、当該指令に基づき前記充電電源部を制御し、
前記制御部が、通信を介しての外部機器からの問い合わせに対して、充電電源部の能力に関する情報を返信することを特徴とする充電装置。
【請求項２】
遠隔操作機能を有しＲＯＭを内蔵する二次電池を充電する充電装置と、ＲＯＭを有しない二次電池との間に介在するアダプタであって、
前記ＲＯＭを有しない二次電池を検出した際に、前記充電装置を遠隔操作し、前記充電装置から送られた該充電装置の充電電源部の能力に関する情報を基に、当該能力に適応させて当該二次電池の充電を行うことを特徴とするアダプタ。
【請求項３】
遠隔操作機能を有する充電装置に対して遠隔操作を行い充電電流又は電圧を制御する制御部と、
前記充電装置との通信を行う通信部と、を内蔵することを特徴とする二次電池。
【発明の詳細な説明】
【０００１】
【発明の属する技術分野】
本発明は、二次電池を充電する充電装置、及び、充電装置と二次電池との間に介在して充電を行わしめるアダプタ、及び、充電装置を制御して充電を行わしめる二次電池に関するものである。
【０００２】
【従来の技術】
現在、充電装置は、マイクロコンピュータを用いることで、電池の特性に合わせた最適な制御を実現している。１の充電装置にて、複数種類の電池を充電する際には、マイクロコンピュータに充電対象となる各電池に対応した制御プログラムが保持され、充電対象となった電池の特性に対応する制御プログラムに基づいて充電を行っている。
【０００３】
【発明が解決しようとする課題】
しかしながら、予め記憶されたプログラムに応じてのみ充電を行い得るため、プログラムの用意されていない電池は充電することができなかった。即ち、充電装置には、当該充電装置の設計時点に存在している二次電池を充電するためのプログラムが用意され、それ以降に開発されたより高性能な電池は、適切に充電することができなかった。
【０００４】
本発明は、上述した課題を解決するためになされたものであり、その目的とするところは、あらゆる特性の電池を適切に充電し得る充電装置を提供することにある。
【０００５】
また、本発明のアダプタの目的とするところは、ＲＯＭを内蔵する二次電池を充電するための充電装置にて、ＲＯＭを有しない二次電池を充電可能にするアダプタを提供することにある。
【０００６】
また、本発明の二次電池の目的とするところは、当該二次電池に対応していない充電装置を用いて適切に充電できる二次電池を提供することにある。
【０００７】
【課題を解決するための手段】
上記目的を達成するため、請求項１は、充電電流又は充電電圧を制御する充電電源部と、
前記充電電源部を制御する制御部と、
二次電池の装填を検出する装填検出部と、
二次電池の電圧を検出する電圧検出部と、
二次電池の温度を検出する温度検出部と、
外部機器との通信を行う通信部とを備える充電装置であって、
前記制御部が、前記装填検出部により二次電池の装填を検出した際に、前記電圧検出部により検出された電圧と、前記温度検出部により検出された温度に基づき前記充電電源部を制御して当該二次電池を充電し、
前記通信部を介して外部機器からの指令を受信した際に、当該指令に基づき前記充電電源部を制御し、
前記制御部が、通信を介しての外部機器からの問い合わせに対して、充電電源部の能力に関する情報を返信することを技術的特徴とする。
【０００８】
請求項１では、制御部が、外部機器からの指令を受信した際に、当該指令に基づき充電電源部を制御するため、外部機器から制御することで、当該充電装置では適正に充電し得ない二次電池を、適正に充電することが可能となる。
【０００９】
請求項１では、制御部が、通信を介しての外部機器からの問い合わせに対して、充電電源部の能力に関する情報を返信する。このため、充電装置の能力に合わせて、外部機器から制御することで、最適の充電を行うことが可能になる。
【００１０】
請求項２は、遠隔操作機能を有しＲＯＭを内蔵する二次電池を充電する充電装置と、ＲＯＭを有しない二次電池との間に介在するアダプタであって、
前記ＲＯＭを有しない二次電池を検出した際に、前記充電装置を遠隔操作し、前記充電装置から送られた該充電装置の充電電源部の能力に関する情報を基に、当該能力に適応させて当該二次電池の充電を行うことを技術的特徴とする。
【００１１】
請求項２は、ＲＯＭを有しない二次電池を検出した際に、充電装置を遠隔操作するため、ＲＯＭを内蔵する二次電池を充電する充電装置にてＲＯＭを有しない二次電池の充電が可能になる。このため、充電装置の能力に合わせて、アダプタから制御することで、最適の充電を行うことが可能になる。
【００１２】
請求項３の二次電池は、遠隔操作機能を有する充電装置に対して遠隔操作を行い充電電流又は電圧を制御する制御部と、
前記充電装置との通信を行う通信部と、を内蔵することを技術的特徴とする。
【００１３】
請求項３の二次電池は、充電装置に対して遠隔操作を行い充電電流又は電圧を制御するため、適応し得ない充電装置で適正に充電することが可能となる。
【００１４】
【発明の実施の形態】
以下、本発明の実施形態に係る充電装置等について図を参照して説明する。
充電装置１０は、ＲＯＭを備える電池パック５０のみを充電し得るように構成されている。第１実施形態では、この充電装置１０を、アダプタ３０を介在させることで、ＲＯＭを備えない電池パック５０Ｂを充電させる。図１（Ａ）は、充電装置１０にＥＥＰＲＯＭ６１を備える電池パック５０が装填された状態を示すブロック図である。他方、図１（Ｂ）は、当該充電装置１０にアダプタ３０を介してＲＯＭを備えない電池パック５０Ｂが接続された状態を示すブロック図である。図２は、該充電装置１０の外観を示す。図３は、ＥＥＰＲＯＭ６１を備える電池パック５０の外観を示し、図４は、該電池パック５０により駆動される電池ドリル７０を示す。一方、図５は、ＲＯＭを備えない電池パック５０Ｂの外観を示し、図６は、該電池パック５０Ｂにより駆動される電池ドリル７０Ｂを示す。図７は、充電装置１０にアダプタ３０を介してＲＯＭを備えない電池パック５０Ｂが取り付けられた状態を示している。
【００１５】
まず、充電装置１０により直接充電され得るＥＥＰＲＯＭ６１を備える電池パック５０の構成を図３に基づいて説明する。
電池パック５０は、略角柱状に形成された樹脂製のケーシング５１内に、図１（Ａ）に示すように複数電気的に直列に接続されたニッケル水素電池５８を内蔵するもので、電池５８の温度を検出するための温度センサＴＭと、該電池パックの形式等の情報を保持するＥＥＰＲＯＭ６１とを備える。温度センサＴＭは、温度によって電気抵抗値が変化するサーミスタからなる。
【００１６】
図３に示すように、電池パック５０のケーシング５１の上端側には、電池ドリル７０や充電装置１０に装着する際に相手側に嵌合可能な嵌合溝５３を形成した嵌入部５２がレール状に並列して設けられている他、嵌入部５２の一端側に位置する部位には上下方向に出入可能なフック５４が設けられている。このフック５４は、ケーシング５１の側面に設けられるレバー５５と一体に成形され、図示しないコイルばねにより突出方向に付勢されている。そのため、電池ドリル７０や充電装置１０に電池パック５０を装着したとき、これらに形成されている所定のフック溝に係合することができる。
【００１７】
これにより、電池ドリル７０や充電装置１０から電池パック５０が容易に外れないようにする役割を果たす。また、コイルばねの付勢力に抗してレバー５５をケーシング５１の下端方向に押し下げることによって、フック５４も引っ込むように下端方向に移動するので、フック溝との係合が解除され、電池ドリル７０や充電装置１０から電池パック５０を取り外すことが可能になる。
【００１８】
また、ケーシング５１の上端側には、嵌入部５２に挟まれるように位置するところに通気口５６、プラス端子溝５７、マイナス端子溝５９およびコネクタ６０が設けられている。通気口５６は、充電装置１０に電池パック５０を装着したとき、充電装置１０に設けられた送風口１６と連通可能な位置に形成されている。これにより、充電装置１０に内蔵された冷却ファンによって電池パック５０内に空気を送出し得るため、充電中の電池パック５０を冷却することができる。つまり、充電装置１０による空冷システムを構築している。
【００１９】
一方、プラス端子溝５７、マイナス端子溝５９の中には、図示しないプラス端子、マイナス端子がそれぞれ設けられており、電池ドリル７０や充電装置１０に電池パック５０を装着したときに、これらの端子が相手側の受電端子や出力端子と接触し得るように構成されている。そして、コネクタ６０の内部には、図１（Ａ）に示す温度センサＴＭ、ＥＥＰＲＯＭ６１を接続するための端子が備えられている。
【００２０】
上述のように構成された電池パック５０は、図４に示すように、電池ドリル７０に装着されて使用される。電池ドリル７０は、使用者が把持可能なグリップ部７４よりも下方に電池パック取付部７５が形成されている。そして、この電池パック取付部７５には、電池パック５０の嵌入部５２と係合可能な嵌合部と、電池パック５０のフック５４が係合可能な所定のフック溝とが形成されているので、かかる電池パック取付部７５に電池パック５０が脱着自在に取り付られる。
【００２１】
このようにして電池パック５０が装着された電池ドリル７０は、電池パック５０のプラス端子およびマイナス端子が電池ドリル７０側のそれぞれの受電端子に接続されるので、両端子から電力の供給を受けることができる。これにより、図示しないモータによってチャック７６を回動させることができる。
【００２２】
図５は、ＥＥＰＲＯＭを備えない電池パック５０Ｂの外観を示している。ニッケル水素電池を内蔵する電池パック５０Ｂは、略円筒状に形成された嵌入部５２Ｂと、略角柱状に形成された基部５５Ｂとから成り、該嵌入部５２Ｂの側方には、キー状のキー部５４Ｂが形成され、上部には、電池の正極側に接続されたプラス端子ｔ１と、負極側に接続されたマイナス端子ｔ２と、サーミスタから成る温度センサＴＭに接続されたセンサ端子ｔ３とが配設されている。
【００２３】
図６は、図５に示す電池パック５０Ｂ用の電気ドリル７０Ｂを示している。電池ドリル７０Ｂは、電池パック５０Ｂの嵌入部５２Ｂを嵌入する嵌入孔７２Ｂが形成されており、電池パック５０Ｂのプラス端子ｔ１及びマイナス端子ｔ２から電力の供給を受けて、図示しないモータによりチャック７６Ｂを回動するように構成されている。
【００２４】
続いて、ＥＥＰＲＯＭ６１を備える電池パック５０を直接充電する充電装置１０の構成を図１（Ａ）および図２に基づいて説明する。
図２に示すように、充電装置１０は樹脂製の筐体１１を有し、この筐体１１には、電池パック５０を装着可能な嵌合部１２や、内蔵した冷却ファンにより電池パック５０内へ送り込む空気を外部から吸気し得る吸気口１３等が一体に成形されている。また充電装置１０の筐体１１には、充電中の電池パック５０の容量を表示する容量表示ランプや、充電装置１０の動作状況を示す状態表示ランプ等、種々の図示しないインジケータが設けられており、これらは後述する制御回路によって点灯制御されている。
【００２５】
嵌合部１２には、電池パック５０の嵌合溝５３を案内可能なガイド１４および電池パック５０の通気口５６に連通可能な送風口１６が形成されており、さらにこの送風口１６には電池パック５０のフック５４が係合可能な所定のフック溝も設けられている。またこの嵌合部１２には、電池パック５０のプラス端子、マイナス端子に対応して電気的に接続可能な出力端子が設けられており、さらに電池パック５０のコネクタ６０に接続可能な図示しないコネクタが設けられている。これにより、充電装置１０内の制御回路は、電池パック５０から所定の温度情報等をこのコネクタを介して得ることができる。
【００２６】
図１（Ａ）に示すように、充電装置１０の制御回路は、主に、充電電源部を構成し得る電源回路２２、充電電流制御部２４、制御部２６、装填検出部を構成し得る電圧検出部２７、装填検出部を構成し得る温度検出部２８、記憶部２９等から構成される。
まず、電源回路２２は、電池パック５０の電池５８を充電可能な容量を有するように設定されている。温度検出部２８は、充電中の電池温度を温度センサＴＭにより検出可能に構成されており、電圧検出部２７は、電池電圧を検出できるように構成されている。一方、記憶部２９は所定のマップ等の電流値制御情報を記憶するものである。
【００２７】
制御部２６は、温度検出部２８から出力された温度値を微分して温度上昇値を求めたうえで記憶部２９の電流値制御情報に基づいて所定の電流値を算出し、この電流値を電流指令値として充電電流制御部２４へ出力し得るように構成されている。そして、充電電流制御部２４は、制御部２６からの電流指令値に基づき電源回路２２を制御し、電池パック５０の充電電流を調整するようにも構成されている。
【００２８】
なお、上述した電源回路２２、充電電流制御部２４、制御部２６、電圧検出部２７、温度検出部２８、記憶部２９等は、本願出願人による先の特許出願（特願平１１−０８１２４７号）に開示する充電装置の構成と実質的に同様であり、温度センサＴＭにより電池５８の温度を検出しその検出温度に基づいて充電電流を制御して充電を行う構成である。
【００２９】
このように構成された充電装置１０の嵌合部１２に電池パック５０が装着されると、所定のアルゴリズムによって制御部２６が、電源回路２２、充電電流制御部２４、電圧検出部２７、温度検出部２８、記憶部２９等を制御し、電池パック５０内の電池５８を充電する。そして、充電中は電池パック５０の容量を表示する容量表示ランプを点灯させ、また充電が完了すると、充電を停止しその旨を同ランプにより告知する。また、制御部２６は、通信部を構成し得る通信ポート２６ａを備え、後述するようにアダプタ３０からの制御により、充電等の各種動作を行い得るように構成されている。
【００３０】
図７は、本発明の第１実施形態に係るアダプタ３０を示し、図１（Ｂ）は、アダプタ３０及び充電装置１０の制御回路のブロックを示している。アダプタ３０は、充電装置１０と電池パック５０Ｂとの間に介在し、ＲＯＭを有しない電池パック５０Ｂの充電装置１０による充電を可能ならしめる。
【００３１】
図７に示すように、アダプタ３０の下面には、図２を参照して上述した充電装置１０の嵌合部１２に嵌合可能な嵌合部３２が形成されており、上面には、図５を参照して上述したＲＯＭを備えない電池パック５０Ｂの嵌入部５２Ｂを嵌入可能な嵌入孔３８が形成され、側面には、レバー３６にて上下方向に付勢されるフック３４が設けられている。
【００３２】
アダプタ３０の下面の嵌合部３２には、充電装置１０のプラス出力端子、マイナス出力端子、及び、コネクタと接続するための図示しないプラス受電端子、マイナス受電端子、及び、コネクタが設けられている。上面の嵌入孔３８には、図５に示す電池パック５０Ｂのプラス端子ｔ１、マイナス端子ｔ２、及び、センサ端子ｔ３と接続するための図示しないプラス出力端子、マイナス出力端子、及び、センサ端子が設けられている。側面のフック３４は、充電装置１０のフック溝１８と係合することで、充電装置１０とアダプタ３０との接続がなされる。
【００３３】
アダプタの制御回路は、図１（Ｂ）に示すように、制御部４１と、温度を検出するための温度検出部４７と、電池５８の電圧を検出する電圧検出部４３とから主としてなる。該制御回路は、充電装置１０側からの電力の供給を受けて動作するように構成されている。第１実施形態のアダプタ３０の制御部４１は、通信機能を有し、充電装置１０の制御部２６との間で情報通信を行う。即ち、通信ポート４１ａを介して充電装置１０の制御部２６の通信ポート２６ａとの通信を確立する。
【００３４】
引き続き、アダプタ３０及び充電装置１０の充電動作について、図８、図９のフローチャートを参照して説明する。図８はアダプタ３０の主制御を示し、図９は充電装置の主制御を示している。
【００３５】
アダプタ３０の制御動作の説明に先立ち、充電装置の動作について図９のフローチャートを参照して説明する。充電装置１０は、ＥＥＰＲＯＭ６１を備える電池パック５０が装填された際には、自らの制御プログラムに従い充電を行い、アダプタ３０が装填された際には、アダプタ３０からの指令に従い電源回路２２から指令値に応じた電流を供給する。
【００３６】
まず、図１（Ａ）に示すようにアダプタ３０が装着されない際の動作について説明する。アダプタ３０が装着されないで（図９に示すＳ５２：Ｎｏ）、図１（Ａ）に示すように充電装置１０に電池パック５０が直接装填されると、制御部２６は、電圧検出部２７にて電池電圧を検出すること、および／または、温度検出部２８にて電池温度を検出することにより装填を検出し（Ｓ６４：Ｙｅｓ）、ＥＥＰＲＯＭ６１の情報を読み出す（Ｓ６６）。次に、記憶部１０に保持されている各電池パック用の制御プログラム内の当該電池パック５０の型式に適合する制御プログラムを検索する（Ｓ６８）。そして、電圧検出部２７及び温度検出部２８により電池５８の電圧・温度を検出する（Ｓ７０）。電池電圧・温度に基づき充電を完了したかを判断し（Ｓ７２）、充電が完了するまでは（Ｓ７２：Ｎｏ）、電池電圧・温度に基づき決定した充電電流を電源回路２２から電池５８へ供給する。即ち、上述したように温度検出部２８から出力された温度値を微分して温度上昇値を求めたうえで記憶部２９の制御プログラムに基づいて所定の電流値を算出し、この電流値を電流指令値として充電電流制御部２４へ出力し、充電電流を制御する。そして、電池温度及び電圧に基づき充電の完了を検出すると（Ｓ７２：Ｙｅｓ）、充電を停止し（Ｓ８０）、処理を終了する。
【００３７】
次に、図１（Ｂ）に示すようにアダプタ３０が充電装置１０と電池パック５０Ｂとの間に介在している際の動作について図８及び図９を参照して説明する。
アダプタ３０の制御部４１は、充電装置１０へ装填されたことを検出すると（図８に示すＳ１２：Ｙｅｓ）、充電装置１０側の制御部２６との通信を開始する（Ｓ１４）。先ず、充電装置の制御部２６に対して、最大供給電流等の充電装置の性能を問い合わせる。これに応答して（図９に示すＳ５４：Ｙｅｓ）、充電装置の制御部２６は、性能のデータをアダプタ３０の制御部４１へ転送する（Ｓ５６）。これにより、アダプタ３０側では、当該充電装置の性能を認識する（図８に示すＳ１６）。
【００３８】
そして、図１（Ｂ）に示すようにアダプタ３０に電池パック５０が装填されると、制御部４１は、電圧検出部４３にて電池電圧を検出すること、および／または、温度検出部４７にて電池温度を検出することにより装填を検出し（Ｓ１８：Ｙｅｓ）、充電を開始させる。先ず、アダプタ３０の制御部４１は、電圧検出部４３及び温度検出部４７により電池５８の電圧・温度を検出する（Ｓ２２）。そして、電池電圧・温度に基づき充電を完了したかを判断し（Ｓ２４）、充電が完了するまでは（Ｓ２４：Ｎｏ）、電池電圧・温度に基づき決定した充電電流値の指令を、充電装置１０側の制御部２６へ送出する（Ｓ２６）。
【００３９】
充電装置１０の制御部２６は、アダプタ３０が装着されている際には（図９に示すＳ５２：Ｙｅｓ）、アダプタ３０からの指令に待機している（Ｓ６０）、そして、上述したようにアダプタ３０から充電電流値の指令を受けると（Ｓ６０：Ｙｅｓ）、当該指令値に応じて電源回路２２を制御し、電池パック５０Ｂ側へ充電電流を供給する（Ｓ６２）。
【００４０】
そして、充電の完了をアダプタ３０の制御部４１が検出すると（図８に示すＳ２４：Ｙｅｓ）、充電停止を指定する（Ｓ２８）。これに応じて、充電装置１０は充電を終了する（図９に示すＳ６２）。
【００４１】
この第１実施形態では、充電装置１０の制御部２６が、アダプタ３０の制御部４１からの指令を受信した際に、当該指令に基づき電源回路２４を制御するため、アダプタ３０から制御することで、当該充電装置１０では充電し得ないＲＯＭを有しない電池パック５０Ｂを、充電することが可能となる。即ち、アダプタ３０は、電池パック５０Ｂを検出した際に、充電装置を遠隔操作するため、ＲＯＭを内蔵する電池パック５０を充電する充電装置１０にてＲＯＭを有しない電池パック５０Ｂの充電が可能になる。
【００４２】
また、本実施形態の充電装置の制御部２６は、通信を介してのアダプタ３０からの問い合わせに対して、電源回路の能力に関する情報を返信する。このため、充電装置の能力を最大限生かすようにアダプタ３０側から制御することで、充電を最適に行うことが可能になる。
【００４３】
引き続き、第２実施形態に係るアダプタ１３０について、当該アダプタ１３０のブロック図である図１０を参照して説明する。この第２実施形態では、アダプタ１３０内にＥＥＰＲＯＭ６１を備え、該ＥＥＰＲＯＭ６１のデータに基づき充電装置がＲＯＭを有しない電池パック５０Ｂを充電するように構成されている。かかる簡易な構成によっても、当該充電装置１０では充電し得ない電池パック５０Ｂを、充電することが可能となる。この第２実施形態では、充電装置１０が遠隔操作機能を備えなくとも実現できる。
【００４４】
引き続き、本発明の第３実施形態に係るアダプタ２３０について、当該アダプタ２３０のブロック図である図１１を参照して説明する。充電装置１０は、第１実施形態の充電装置と同じである。一方、電池パック５０Ｃには、ＥＥＰＲＯＭ６１が備えられているが、当該電池パック５０Ｃの充電特性に対応する制御プログラムは、充電装置１０側には保持されていない。他方、アダプタ２３０の制御部４１には、当該電池パック５０Ｃの充電特性に対応する制御プログラムが保持されている。ここで、アダプタ２３０に、電池パック５０Ｃが装填されると、アダプタ２３０の制御部４１は、ポート４１ｂから電池パック５０ＣのＥＥＰＲＯＭ６１の内容を読み出し、当該内容に対応する制御プログラムを検索した後、充電装置１０を遠隔操作して第１実施形態と同様に充電を行う。
【００４５】
この第３実施形態の構成では、アダプタ３０の制御部４１が、電池パック５０ＣのＥＥＰＲＯＭ６１の内容に応じて、充電装置１０を遠隔操作するため、当該充電装置１０では適正に充電し得ない電池パック５０Ｃを、適正に充電することが可能となる。
【００４６】
引き続き、本発明の第４実施形態に係る電池パック１５０について、当該電池パック１５０のブロック図である図１２を参照して説明する。第４実施形態では、第１実施形態のアダプタに備えられたと同様な制御部６２が電池パック１５０側に配設されている。該制御部６２は、通信部を構成し得る通信ポート６２ａを介して充電装置の制御部２６の通信ポート２６ａとの通信を確立し、温度情報、電池温度等の情報を受信して、電流値を指令し、自らの充電を行う。
【００４７】
この第４実施形態の構成では、充電装置１０側に電池パックの充電用のデータを全く備えることなく、最適な充電を行うことが可能になる。
【００４８】
通信機能を備える本発明の充電装置は、各種の外部機器からの指令に従い制御を行い得る。このため、製造工程の最終段階で、外部の試験装置から制御部２６へ制御指令、例えば、各ＬＥＤの点灯、冷却ファンの回転等の制御指令を与えることで当該動作を行わしめ得る。即ち、動作試験をそれぞれ専用のテスターを用いることなく行うことができるため、動作試験が非常に簡単になる。
【００４９】
更に、上述した実施形態においては、アダプタ、電池パックから充電装置を遠隔操作する例を挙げたが、通信機能を備える本発明の充電装置は、コンピュータの通信回線等を介しての遠隔操作も可能となる。
【図面の簡単な説明】
【図１】図１（Ａ）は、本発明の第１実施形態に係る充電装置の制御回路及び電池パックを示すブロック図であり、図１（Ｂ）は、充電装置、アダプタの制御回路及び電池パックを示すブロック図である。
【図２】本発明の第１実施形態に係る充電装置の外観を示す斜視図である。
【図３】ＲＯＭを備える電池パックの外観を示す斜視図である。
【図４】図３に示す電池パックを用いる電池ドリルの側面図である。
【図５】ＲＯＭを備えない電池パックの外観を示す斜視図である。
【図６】図５に示す電池パックを用いる電池ドリルの側面図である。
【図７】本実施形態に係るアダプタの側面図である。
【図８】第１実施形態に係るアダプタの制御部による処理の流れを示すフローチャートである。
【図９】本実施形態に係る充電装置の制御部による処理の流れを示すフローチャートである。
【図１０】本発明の第２実施形態に係る充電装置及びアダプタの制御回路を示すブロック図である。
【図１１】本発明の第３実施形態に係る充電装置及びアダプタの制御回路を示すブロック図である。
【図１２】本発明の第４実施形態に係る充電装置及び電池パックの制御回路を示すブロック図である。
【符号の説明】
１０    充電装置
２２    電源回路（充電電源部）
２６    制御部
２６ａ    通信ポート（通信部）
２７    電圧検出部（装填検出部）
２８    温度検出部（装填検出部）
３０    アダプタ
４１    制御部
４１ａ    通信ポート
５０    電池パック
５０Ｂ    電池パック
５０Ｃ    電池パック
５８    電池
６１    ＥＥＰＲＯＭ（ＲＯＭ）
６２    制御部
６２ａ    通信ポート（通信部）
７０    電池ドリル
１３０    アダプタ
１５０  電池パック
２３０    アダプタ
TM    温度センサ
【図１】
0003705987.tif 000002
【図２】
0003705987.tif 000003
【図３】
0003705987.tif 000004
【図４】
0003705987.tif 000005
【図５】
0003705987.tif 000006
【図６】
0003705987.tif 000007
【図７】
0003705987.tif 000008
【図８】
0003705987.tif 000009
【図９】
0003705987.tif 000010
【図１０】
0003705987.tif 000011
【図１１】
0003705987.tif 000012
【図１２】
0003705987.tif 000013